(57)【要約】【課題】デジタル無線通信システムを利用するユーザーは、送信プレスボタンを押した後、即座に送話を開始する習慣が付いているため、通話可能ブザー音を確認する前に話始め、通話音声の冒頭部分が受信者に伝達できないことがある。【解決手段】受信信号処理部と、送信信号処理部と、上記受信信号処理部と上記送信信号処理部を切替える切替スイッチと、処理中情報を出力する処理中情報出力手段と、上記受信信号処理部、上記送信信号処理部、上記切替スイッチおよび上記処理中情報出力手段を制御する制御部とを有し、上記制御部が上記送信信号処理部から送信権要求信号を送信する場合、上記制御部は、上記処理中情報出力手段を制御して処理中情報を出力し、上記制御部が上記受信信号処理部から送信権獲得信号を検出した場合、上記制御部は、上記処理中情報出力手段を制御して上記処理中情報の出力を停止するように構成される。【選択図】図１
2007214776.tif 000002
【特許請求の範囲】
【請求項１】
受信信号処理部と、送信信号処理部と、上記受信信号処理部と上記送信信号処理部を切替える切替スイッチと、処理中情報を出力する処理中情報出力手段と、上記受信信号処理部、上記送信信号処理部、上記切替スイッチおよび上記処理中情報出力手段を制御する制御部とを有し、上記制御部が上記送信信号処理部から送信権要求信号を送信する場合、上記制御部は、上記処理中情報出力手段を制御して処理中情報を出力し、上記制御部が上記受信信号処理部から送信権獲得信号を検出した場合、上記制御部は、上記処理中情報出力手段を制御して上記処理中情報の出力を停止することを特徴とするデジタル無線通信装置。
【請求項２】
請求項１記載のデジタル無線通信装置において、更に、スピーカを具え、上記処理中情報出力手段は、音発生部で構成され、上記制御部の制御に基づいて上記音発生部の出力を上記スピーカに供給することを特徴とするデジタル無線通信装置。
【請求項３】
請求項１記載のデジタル無線通信装置において、更に、表示部を具え、上記処理中情報出力手段は、文字発生部で構成され、上記制御部の制御に基づいて上記文字発生部の出力を上記表示部に供給することを特徴とするデジタル無線通信装置。
【発明の詳細な説明】
【技術分野】
【０００１】
本発明は、デジタル無線通信装置に関し、特に、送信モードと受信モードとを交互に切り換えて交信するプレストーク方式のデジタル無線通信装置に関するものである。
【背景技術】
【０００２】
従来のデジタル無線通信システムを図４を用いて説明する。統制局４０１（制御局とも言う。）と基地局４０２の通信エリア４０５（あるいは通信ゾーンとも言う。）内にある複数の移動局（一般には、無線装置という。）４０３−１、４０３−２、４０３−３、・・４０３−Ｎと基地局間あるいは基地局を経由した移動局間の通信接続サービスが行なわれるように構成されたシステムである。なお、基地局４０２の近傍に統制局４０１が設置される場合もあれば、場所的に離れた場所に設置される場合もある。この場合、統制局４０１と基地局４０２とは、有線またはマイクロ回線等の伝送路４０４等で接続されるのが一般的である。また、以下の説明において、移動局４０３−１、４０３−２、４０３−３、・・・４０３−Ｎを代表する場合、移動局（または無線装置）４０３と称する。なお、ここでは、無線装置として説明するが、無線装置とは、車両等に搭載された無線機、携帯無線機あるいは情報端末局等の無線装置をいう。
【０００３】
統制局４０１は、デジタル無線通信システムにおける基地局４０２および複数の移動局４０３間の通信接続およびサービスエリアの維持、管理を行う。この統制局４０１には、回線制御装置が設置され、移動局からの発呼(call)制御あるいは通信ルートの設定を行う制御等を行う。
【０００４】
而して、デジタル無線技術を用いたデジタル無線通信システムで使用が許可されている無線キャリア（carrier）周波数割当ては、上り方向、即ち、移動局→基地局の方向では、無線キャリアｆで、ｆ１、ｆ２、ｆ３、・・・の複数波が認められている。また、下り方向、即ち、基地局→移動局の方向では、上り方向の無線キャリアから、例えば、９ＭＨｚ離れた無線キャリアＦで、Ｆ１、Ｆ２、Ｆ３、・・・の複数波が認められている。従って、デジタル無線通信システムの通信においては、上り方向ｆ１、ｆ２、ｆ３、・・・、下り方向Ｆ１、Ｆ２、Ｆ３、・・・の各周波数が使用される。そして、各システムは、その規模に応じて１又は複数の無線キャリアを使用することができる。
【０００５】
更に、各無線キャリアは、図５に示されるようにフレームに分割され、さらにフレームを４つのスロットに分けられた後、そのスロットに制御チャネルＣと通信チャネルＳが割り当てられる。ここで、１フレームは、例えば、４０ｍｓであり、１スロットは、１０ｍｓである。制御チャネルＣは、無線回線の接続制御を行うチャネルであり、通信チャネルＳは、通話やデータ通信を行うチャネルである。
【０００６】
次に、上述したデジタル無線通信システムにおいて、使用される移動局は、プレストーク方式の移動局として説明する。なお、以下の説明では、移動局を無線装置として説明する。従来、プレストーク方式の無線装置では、無線装置本体に取り付けたプレススイッチを押下することで自己の無線装置を送信モードとし、逆に相手側から受信する場合は、プレススイッチを離すことで自己の無線装置を受信モードとし、送信または受信のいずれか一方向しか話すことができない構成になっている。そして、このプレストーク方式の無線装置では、自己の無線装置を送信モードにして相手方の無線装置に話しかける場合、プレススイッチを押下した状態で話しかけることになっている。
【０００７】
この無線通信システムの動作を図６を用いて説明する。図６において、無線装置（移動局と同じ）４０３−１から基地局４０２を介して無線装置（移動局と同じ）４０３−３と通話する場合について説明する。なお、図６では、２台の無線装置で説明するが、他の無線装置（移動局）についても同様である。まず、基地局４０２は、周期的に空線信号を送信し、通信エリア４０５内に位置する無線装置４０３は、この空線信号を受信し、同期が取られている。この状態で、無線装置４０３−１が無線装置４０３−３と通信する場合について説明する。
【０００８】
まず、無線装置４０３−１は、ステップ６０１で無線装置４０３−３に通話のための発呼操作をする。これは、例えば、通話相手を呼び出すために無線装置４０３−３の電話番号をダイアルする。このダイアルによって呼出信号が、例えば、図５に示される１フレームの制御チャネルＣを用いて基地局４０２に接続要求（送信権要求信号）が送信される（ステップ６０２）。基地局４０２では、この送信権要求信号を受信すると、１フレーム中の通信チャネルＳ１、Ｓ２、Ｓ３の各スロットの内、空きスロットを検出する（ステップ６０３）。検出の結果、例えば、スロットＳ１が空きスロットであれば、無線装置４０３−１と無線装置４０３−３の通話のためのスロットとして割当てる（ステップ６０４）。そして、基地局４０２は、無線装置４０３−３に制御チャネルＣを用いて呼出信号を送信する（ステップ６０５）。無線装置４０３−３は、基地局４０２からの呼出信号を受信した場合、受信可能であれば、通話被呼操作（ステップ６０６）を行い、応答信号を基地局４０２に送信する（ステップ６０７）。応答信号を受信した基地局４０２は、応答信号を無線装置４０３−１に送信する（ステップ６０８）。これによって空きスロットＳ１を用いて通話のための通話路が形成され、無線装置４０３−１は、送信権獲得信号を受信すると共に、通話が可能であることを知らせるブザー音が鳴動する（ステップ６０９）。無線装置４０３−１の操作者は、このブザー音を聞くと通話が可能であることが理解されるので、無線装置本体に取り付けたプレススイッチを押下することで自己の無線装置を送信モードとし、通話を始める（ステップ６１０）。
【０００９】
上述した説明で、無線装置４０３−１の操作者がステップ６０１の発呼操作を行ってからステップ６０９のブザー音が鳴動するまで、約数ｍsec、一般的に５ｍsec 程度かかるので、ブザー音が鳴動する前に、操作者がプレススイッチを押下して直ちに話しを始めると、話しの始めの部分が送信されずに途切れてしまう話頭切断が生じる。例えば「こんにちは」と話したのが、話頭の「こん」が送信されずに、「にちは」のみが送信される現象である。なお、従来のアナログ無線システムでは、空スロット検出等のデジタル無線通信システムのような処理は行わないので、このような問題は発生しない。
【００１０】
しかしながら、デジタル無線通信システムを利用するユーザーは、アナログ無線システムから移行したユーザーが多く、送信プレスボタンを押した後、即座に送話を開始する習慣が付いているため、前述のように通話可能ブザー音を確認する前に話始めてしまい、通話音声の冒頭部分が切断され、受信者に伝達できないこととなってしまう。従って、このような話頭切断が生じないデジタル無線通信システムの実現が望まれている。
【００１１】
【特許文献１】特開平７−１６２９３７号公報
【特許文献２】特開２００５−１９８１３３号公報
【発明の開示】
【発明が解決しようとする課題】
【００１２】
デジタル無線通信システムを利用するユーザーは、アナログ無線システムから移行したユーザーが多く、送信プレスボタンを押した後、即座に送話を開始する習慣が付いているため、通話可能ブザー音を確認する前に話始めてしまい、通話音声の冒頭部分が受信者に伝達できないこととなる。
【００１３】
本発明の目的は、通話接続中を容易に認識できるデジタル無線通信装置を提供することである。
【００１４】
本発明の他の目的は、通話音声の冒頭部分が切断されないデジタル無線通信装置を提供することである。
【課題を解決するための手段】
【００１５】
本発明のデジタル無線通信装置は、受信信号処理部と、送信信号処理部と、上記受信信号処理部と上記送信信号処理部を切替える切替スイッチと、処理中情報を出力する処理中情報出力手段と、上記受信信号処理部、上記送信信号処理部、上記切替スイッチおよび上記処理中情報出力手段を制御する制御部とを有し、上記制御部が上記送信信号処理部から送信権要求信号を送信する場合、上記制御部は、上記処理中情報出力手段を制御して処理中情報を出力し、上記制御部が上記受信信号処理部から送信権獲得信号を検出した場合、上記制御部は、上記処理中情報出力手段を制御して上記処理中情報の出力を停止するように構成される。
【００１６】
また、本発明のデジタル無線通信装置において、更に、スピーカを具え、上記処理中情報出力手段は、音発生部で構成され、上記制御部の制御に基づいて上記音発生部の出力を上記スピーカに供給するように構成される。
【００１７】
また、本発明のデジタル無線通信装置において、更に、表示部を具え、上記処理中情報出力手段は、文字発生部で構成され、上記制御部の制御に基づいて上記文字発生部の出力を上記表示部に供給するように構成される。
【発明の効果】
【００１８】
以上説明したように、本発明によれば、通話開始あるいは通話接続中を容易に認識できるデジタル無線通信装置が実現できる。また、操作者は、ブザー音あるいは音色が鳴っていることで通話開始を控え、ブザー音あるいは音色が消えた時点で、通話を開始するようになり受信者に送信音声の冒頭部分が伝達できない状態をなくなる。
【発明を実施するための最良の形態】
【００１９】
以下、本発明について図１〜図３を用いて説明する。図１は、無線装置（または移動局）の概略構成のブロック図である。図２は、統制局１０１および基地局１０２の概略構成を示すブロック図である。なお、本発明で使用されるデジタル無線通信システムは、図４で示される従来のデジタル無線通信システムとほぼ同じものであるので詳細な説明は省略する。
【００２０】
図１は、無線装置（図４に示す無線装置４０３に対応する。）の概略構成を示すブロック図である。なお、図１で示す無線装置は、例えば、上り方向無線キャリアｆ１および下り方向無線キャリアＦ１のペア波が用いられ、無線装置本体に取り付けたプレススイッチを押下することで自己の無線装置を送信モードとし、逆に相手側から受信する場合は、プレススイッチを離すことで自己の無線装置を受信モードとし、送信または受信のいずれか一方向しか話すことができない構成になっている。
【００２１】
図１において、１０１は、基地局４０２との送受信を行うためのアンテナ、１０２は、受信信号処理部と送信信号処理部を切替える、即ち、受信モードと送信モードを切替えるための切換スイッチ、１０３は、受信信号処理部、１０４は、スピーカ、１０５は、制御部、１０６は、表示部、１０７は、操作部、１０８は、マイク、１０９は、音発生部、１１０は、文字発生部、１１１は、送信信号処理部である。
【００２２】
また、図２は、統制局４０１および基地局４０２の概略構成を示すブロック図であって、統制局４０１は、処理装置２０１、記憶部２０２、表示部２０３および操作部２０４で構成されている。また、基地局４０２は、送信用無線機２０５と受信用無線機２０６で構成されている。なお、図２では、統制局４０１と基地局４０２とは、伝送路４０４で結合されている場合を示しているが、統制局４０１と基地局４０２とは、一体に構成することもできる。
【００２３】
ここで、図１に示す無線装置の動作について説明する。先ず、操作者が操作部１０７を操作し、例えば、テンキーで相手の移動局番号を入力し、通話ボタンを押す。相手が出ると送信状態となるので、マイク１０８から入力される音声信号は、送信信号処理部１１１で送信のための所定の信号処理、所定の変調および所定の送信周波数ｆ１に変換され、切替スイッチ１０２を介してアンテナ１０１から出力され、基地局４０２の受信用無線機２０６へ送信される。
【００２４】
一方、相手の移動局からの信号は、基地局４０２の送信用無線機２０５を介してアンテナ１０１で受信され、切替スイッチ１０２を介して受信信号処理部１０３に供給される。受信信号処理部１０３では、適宜高周波増幅され、所定の中間周波数に変換され、更に、復調され、所定の信号処理がなされた後、スピーカ１０４から音声信号を出力する。また、データの場合には、表示部１０７にデータが表示される。
【００２５】
さて、上述したデジタル無線通信システムの動作について図３を用いて説明する。なお、図３において、無線装置３０１および３０２は、それぞれ図１に示される無線装置で構成されているものとする。また、図３では、２台の無線装置しか示されていないが、他の無線装置についても同様である。まず、基地局４０２は、空線信号を送信しており、通信エリア４０５内の無線装置３０１、３０２は、同期状態にあるものとする。この状態で、無線装置３０１が基地局４０２を介して無線装置３０２と通話する場合について説明する。
【００２６】
無線装置３０１は、ステップ３０３で無線装置３０２に通話のための発呼操作をする。これは、例えば、通話相手を呼び出すため、無線装置３０１の操作者は、操作部１０８を操作して無線装置３０２の電話番号をダイアルする。このダイアルによって呼出信号が、制御部１０５で生成され、受信信号処理部１０３を介して、例えば、図５に示される１フレームの制御チャネルＣを用いて基地局４０２に接続要求（送信権要求信号）が送信される（ステップ３０４）。そして、この時、本発明では、この送信権要求信号が送出されると、この送信権要求信号に基づいて制御部１０５では、音発生部１０９を起動し、メロデイ送出を開始する。即ち、通話接続中であることを知らせるメロデイをスピーカ１０４に送出する（ステップ３０５）。このメロデイを操作者が聞くことによって通話不可、即ち、現在、無線装置３０２と接続中であることが分かる。このメロデイは、メロデイ音に限らず、ブザー音あるいはビープ音等の音情報でもよい。また、連続音でも、間欠音でもよいことは勿論である。
【００２７】
また、上記のようにメロデイ音に限らず、送信権要求信号に基づいて制御部１０５では、文字発生部１１０を起動し、「しばらくお待ち下さい。」あるいは「接続中」等の文字を表示部１０６に表示することにより操作者は、目視で確認することもできる。なお、上述した音や文字等の情報は、前もってＲＯＭ（Read Only Memory）等に記憶し、これを読み出してスピーカを鳴動させたり、表示部に表示させることもできる。なお、上述した音情報および表示情報等を総称して処理中情報という。
【００２８】
送信権要求信号を受信した基地局４０２は、統制局４０１の処理装置２０１で、この送信権要求信号に基づいて図５に示される１フレーム中の通信チャネルＳ１、Ｓ２、Ｓ３の各スロットの内、空きスロットの有無を検出する（ステップ３０６）。空きスロットの有無検出の結果、例えば、スロットＳ１が空きスロットであれば、無線装置３０１と無線装置３０２の通話のためのスロットとしてスロットＳ１を割当てる（ステップ３０７）。そして、基地局４０２の送信用無線機２０５は、無線装置３０２に制御チャネルＳを用いて呼出信号を送信する（ステップ３０８）。無線装置３０２は、基地局４０２からの呼出信号を受信した場合、受信可能であれば、通話被呼操作（ステップ３０９）を行い、応答信号を基地局４０２の受信用無線機２０６に送信する（ステップ３１０）。応答信号を受信した基地局４０２は、統制局４０１で通話路を確定し、応答信号（送信権獲得信号）を送信用無線機２０５から無線装置３０１に送信する（ステップ３１１）。これによって空きスロットＳ１を用いて通話のための通話路が形成される。そして、この応答信号（送信権獲得信号）が受信信号処理部１０３を介して制御部１０５で検出されると、この送信権獲得信号に基づいて制御部１０５は、音発生部１０９からステップ３０３で送出を始めたメロデイ音の送出を停止する（ステップ３１２）。メロデイ音の鳴動が止むと、無線装置３０１の操作者は、通話接続中が終了し、通話路が形成されたことが理解されるので、通話を開始する（ステップ３１３）。また、この応答信号（送信権獲得信号）に基づいて制御部１０５は、文字発生部１１０を制御して、表示部１０６に表示されている「しばらくお待ち下さい。」あるいは「接続中」等の文字を消したり、あるいは、新たに「お話下さい。」等を表示部１０６に表示することもできる。その結果、操作者は、無線装置３０１の本体に取り付けたプレススイッチを押下することで自己の無線装置３０１を送信モードにして通話を始めることができる。
【００２９】
なお、上記実施例では、送信権要求信号を送信してから送信権獲得信号を受信するまでの間、音情報で知らせるとか、表示により知らせるように構成する実施例、所謂、処理中情報を出力し続けることについて説明したが、例えば、マイク１０８からの音声が送信信号処理部１１１に供給されないように送信権要求信号でマイク１０８をＯＦＦし、送信権獲得信号でマイク１０８をＯＮするようにすることもできる。この場合、マイク１０８の接続による電力消費を低減でき、バッテリの長寿命化が図れる等の特徴がある。
【００３０】
以上詳細に説明したように、本発明によれば、送信用のプレスボタンを押下する時に、送話不可な期間、または、接続処理中である期間の間、これを知らせる音色を鳴動させるか、あるいは文字表示する等の警告情報を出力することによって、送話を開始する時点が明確になり、受信者に送信音声の冒頭部分が伝達できない状態、所謂、話頭切断をなくすことができる。
【００３１】
以上、本発明について詳細に説明したが、本発明は、ここに記載されたデジタル無線通信装置の実施例に限定されるものではなく、上記以外のデジタル無線通信装置に広く適応することが出来ることは、言うまでも無い。
【図面の簡単な説明】
【００３２】
【図１】本発明の一実施例の概略構成のブロック図を示す。
【図２】本発明で用いられる統制局および基地局の概略構成のブロック図を示す。
【図３】本発明の動作を説明するための図である。
【図４】従来のデジタル無線通信システムの一例を説明するための図である。
【図５】デジタル無線通信システムで使用されるフレーム構造を説明するための図である。
【図６】従来のデジタル無線通信装置の動作を説明するための図である。
【符号の説明】
【００３３】
１０１：アンテナ、１０２：切替スイッチ、１０３：受信信号処理部、１０４：スピーカ、１０５：制御部、１０６：表示部、１０７：操作部、１０８：マイク、１０９：音発生部、１１０：文字発生部、１１１：送信信号処理部、２０１：処理装置、２０２：記憶部、２０３：表示部、２０４：操作部、２０５：送信用無線機、２０６：受信用無線機、４０１：統制局、４０２：基地局、４０３：無線装置、４０４：伝送路、４０５：通信エリア。
【図１】
2007214776.tif 000003
【図２】
2007214776.tif 000004
【図３】
2007214776.tif 000005
【図４】
2007214776.tif 000006
【図５】
2007214776.tif 000007
【図６】
2007214776.tif 000008